(57)【特許請求の範囲】
【請求項１】
複数の原稿を自動的に読み取る複数原稿自動読取部と、静止原稿を読み取るフラットベッドスキャナとを備えた通信端末装置であって、原稿の読み取りを複数原稿自動読取部で行う場合、その複数原稿自動読取部での通信回数及びコピー回数に基づいて、通信モード又はコピーモードに切り換え、原稿の読み取りをフラットベッドスキャナで行う場合、そのフラットベッドスキャナでの通信回数及びコピー回数に基づいて、通信モード又はコピーモードに切り換える制御手段を備えた通信端末装置。
【請求項２】
請求項１に記載の通信端末装置において、制御手段は、通信回数とコピー回数との合計回数が所定回数以上である場合は、通信モード又はコピーモードに切り換える通信端末装置。
【発明の詳細な説明】
【０００１】
【発明の属する技術分野】
本発明は、複写機能付きファクシミリ装置に代表される通信端末装置に関し、より詳しくは通信モード又はコピーモードに切り換えるための学習機能を備えた通信端末装置に関するものである。
【０００２】
【従来の技術】
複写機能付きファクシミリ装置においては、ＦＡＸモード又はコピーモードに切り換えるためのＦＡＸ／コピーキーを備えている。そして、使用者の所望に応じて、ＦＡＸ／コピーキーを操作して所望のモードに切り換えてから、スタートキーを操作して原稿の読み取り動作を行わせる。
【０００３】
【発明が解決しようとする課題】
しかしながら、複写機能付きファクシミリ装置においては、ＦＡＸ動作もコピー動作も可能であるため、ＦＡＸ送信やコピーをする場合において、所望のモードでない場合は、ＦＡＸ／コピーキーを操作しなければならなかった。
【０００４】
本発明は、このような問題点に着目してなされたものであって、その目的は、ＦＡＸ／コピーキーの切換操作を省略することが可能な通信端末装置を提供することにある。
【０００５】
【課題を解決するための手段】
上記の目的を達成するために、請求項１に記載の発明では、複数の原稿を自動的に読み取る複数原稿自動読取部と、静止原稿を読み取るフラットベッドスキャナとを備えた通信端末装置であって、原稿の読み取りを複数原稿自動読取部で行う場合、その複数原稿自動読取部での通信回数及びコピー回数に基づいて、通信モード又はコピーモードに切り換え、原稿の読み取りをフラットベッドスキャナで行う場合、そのフラットベッドスキャナでの通信回数及びコピー回数に基づいて、通信モード又はコピーモードに切り換える制御手段を備えた。
【０００７】
請求項２に記載の発明では、請求項１に記載の通信端末装置において、制御手段は、通信回数とコピー回数との合計回数が所定回数以上である場合は、通信モード又はコピーモードに切り換える。
【０００８】
【発明の実施の形態】
以下に、本発明に係る通信端末装置を複写機能付きファクシミリ装置に具体化した一実施形態について図面を用いて説明する。
【０００９】
図１に示すように、複写機能付きファクシミリ装置１は、ＭＰＵ１０、ＲＯＭ２０、ＲＡＭ３０、読取部４０、記録部５０、操作部６０、表示部７０、画像メモリ８０、コーデック９０、モデム１００、及びＮＣＵ１１０から構成されるとともに、各部１０〜１１０がバス１２０を介してそれぞれ接続されている。
【００１０】
ＭＰＵ１０は、複写機能付きファクシミリ装置１を構成する各部を制御する。ＲＯＭ２０は、複写機能付きファクシミリ装置１を制御するためのプログラムを記憶する。ＲＡＭ３０は、複写機能付きファクシミリ装置１に関する各種情報を記憶する。また、ＲＡＭ３０は、読取部４０を構成する複数原稿自動読取部（ＡＤＦ）４１の原稿台に原稿が載置されたか否かを示すＡＤＦフラグ領域３１と、読取部４０を構成するフラットベッドスキャナ（ＦＢＳ）４２の原稿載置板に原稿が載置されたか否かを示すＦＢＳフラグ領域３２とを有している。さらに、ＲＡＭ３０は、ＦＡＸ回数及びコピー回数を記憶する回数記憶領域３３を備えている。具体的には、図２に示すように、ＲＡＭ３０は、複数原稿自動読取部（ＡＤＦ）４１及びフラットベッドスキャナ（ＦＢＳ）４２での原稿の読み取りに基づく、ＦＡＸ回数及びコピー回数を記憶する回数記憶領域３３を備えている。
【００１１】
図１に示すように、読取部４０は、原稿上の画像データを読み取って、白黒２値のイメージデータを出力する。また、読取部４０は、原稿台に載置された複数の原稿を自動的に読み取る複数原稿自動読取部（ＡＤＦ）４１と、原稿載置板上に載置された静止原稿を読み取るフラットベッドスキャナ（ＦＢＳ）４２とから構成されている。そして、複数原稿自動読取部（ＡＤＦ）４１には、原稿が原稿台に載置されたことを検出するための原稿有無センサ４１ａが配設されている。この原稿有無センサ４１ａは、原稿の有無に応じて検出信号をＭＰＵ１０に出力する。一方、フラットベッドスキャナ（ＦＢＳ）４２には、カバーの開閉状態を検出するためのカバー開閉センサ４２ａが配設されている。このカバー開閉センサ４２ａは、カバーの開閉状態に応じて検出信号をＭＰＵ１０に出力する。
【００１２】
記録部５０は、電子写真方式のプリンタよりなり、受信画データや、コピー動作において読取部４０にて読み取られた原稿の画データを、記録紙上に記録する。
【００１３】
操作部６０は、ＦＡＸモード又はコピーモードに設定するためのＦＡＸ／コピーキー６１、短縮番号の登録又は短縮番号から発信するための短縮キー６２、予め登録したＦＡＸ番号をワンタッチで指定するためのワンタッチキー６３、電話番号又はコピー部数等を入力するためのテンキー（＊，＃キーを含む）６４、原稿の読み取り動作を開始させるためのスタートキー６５等の各種操作キーを備えている。ＬＣＤ等よりなる表示部７０は、複写機能付きファクシミリ装置１の動作状態等の各種情報の表示を行う。
【００１４】
画像メモリ８０は、受信画データや読取部４０で読み取られた画データを一時的に記憶する。コーデック９０は、読取部４０にて読み取られた画データを送信のためにＭＨ，ＭＲ，ＭＭＲ方式等により符号化（エンコード）する。また、コーデック９０は、受信画データを復号（デコード）する。
【００１５】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌとの接続を制御するとともに、相手先の電話番号（ＦＡＸ番号を含む）に対応したダイヤル信号の送出及び着信を検出するための機能を備えている。
【００１６】
次に、複写機能付きファクシミリ装置１において、ＦＡＸ又はコピーするときの動作について、図３に示すフローチャートを用いて説明する。なお、この動作は、ＲＯＭ２０に記憶されたプログラムに基づき、ＭＰＵ１０の制御により実行される。
【００１７】
さて、読取部４０を構成する複数原稿自動読取部（ＡＤＦ）４１の原稿台又はフラットベッドスキャナ（ＦＢＳ）４２の原稿載置板のいずれかに原稿が載置されると、
図３に示すステップＳ１においては、カバー開閉センサ４２ａからの検出信号に基づいて、カバーが閉じられているか否かが判断される。カバーが閉じられている場合は、ステップＳ２に移行する。一方、カバーが開いている場合は、ステップＳ４に移行する。
【００１８】
ステップＳ２においては、原稿有無センサ４１ａからの検出信号に基づいて、原稿が検出されたか否かが判断される。すなわち、原稿が検出された場合は、原稿がＡＤＦ４１の原稿台に載置されたと判断して、ステップＳ３に移行する。一方、原稿が検出されない場合は、原稿がＦＢＳ４２の原稿載置板に載置されたと判断して、ステップＳ４に移行する。
【００１９】
ステップＳ３においては、ＡＤＦフラグ領域３１が「１」に設定されるとともに、ＦＢＳフラグ領域３２が「０」に設定される。
ステップＳ４においては、ＡＤＦフラグ領域３１が「０」に設定されるとともに、ＦＢＳフラグ領域３２が「１」に設定される。
【００２０】
ステップＳ５においては、複写機能付きファクシミリ装置１が設置されてから現在までのＦＡＸ回数とコピー回数との合計回数が、所定回数（例えば１００回）以上であるか否かが判断される。具体的には、図２に示すように、ＲＡＭ３０の回数記憶領域３３に記憶されているＡＤＦ４１及びＦＢＳ４２での原稿の読み取りに基づく、ＦＡＸ回数とコピー回数との合計回数が所定回数以上であるか否かが判断される。すなわち、ＦＡＸ回数とコピー回数との合計回数が所定回数以上でなければ、いずれの使用頻度が多いかを判断することは困難である。そこで、ＦＡＸ回数とコピー回数との合計回数が所定回数以上であるか否かを判断しているのである。そして、所定回数以上である場合は、ステップＳ６に移行する。一方、所定回数未満である場合は、ステップＳ９に移行する。
【００２１】
ステップＳ６においては、ＦＡＸ回数がコピー回数以上であるか否かが判断される。ＦＡＸ回数がコピー回数以上である場合は、ステップＳ７に移行する。一方、ＦＡＸ回数がコピー回数未満である場合は、ステップＳ８に移行する。
【００２２】
ステップＳ７においては、ＦＡＸモードに設定される。
ステップＳ８においては、コピーモードに設定される。
ステップＳ９においては、ＦＡＸモードであるか否かが判断される。すなわち、前記ステップＳ５においてＦＡＸ回数とコピー回数との合計回数が所定回数未満である場合には、ＦＡＸ／コピーキー６１を操作して所望のモードに設定する場合がある。一方、ＦＡＸ回数とコピー回数との合計回数が所定回数以上であって、前記ステップＳ７又はＳ８においてＦＡＸモード又はコピーモードに設定された場合であっても、所望のモードではない場合がある。このような場合には、ＦＡＸ／コピーキー６１の操作により、所望のモードに変更する必要がある。そこで、後述するステップＳ１０又はＳ１３においてスタートキー６５が操作されるまでは、ＦＡＸ／コピーキー６１の操作に基づいて、所望のモードに変更できるように考慮しているのである。そして、ＦＡＸモードである場合は、ステップＳ１０に移行する。一方、ＦＡＸモードでない場合、つまりコピーモードである場合は、ステップＳ１３に移行する。
【００２３】
ステップＳ１０においては、スタートキー６５が操作されるのが待たれる。
ステップＳ１１においては、ＡＤＦ４１での読み取りか又はＦＢＳ４２での読み取りかに基づいて、ＦＡＸ回数がインクリメントされる。つまり、前記ステップＳ３又はＳ４におけるフラグ領域３１，３２の値に基づいて、ＡＤＦ４１又はＦＢＳ４２のＦＡＸ回数がインクリメントされる。
【００２４】
ステップＳ１２においては、ＦＡＸ動作が行われる。
ステップＳ１３においては、スタートキー６５が操作されるのが待たれる。
ステップＳ１４においては、ＡＤＦ４１での読み取りか又はＦＢＳ４２での読み取りかに基づいて、コピー回数がインクリメントされる。つまり、前記ステップＳ３又はＳ４におけるフラグ領域３１，３２の値に基づいて、ＡＤＦ４１又はＦＢＳ４２のコピー回数がインクリメントされる。
【００２５】
ステップＳ１５においては、コピー動作が行われる。
以上、詳述したように本実施形態によれば、次のような作用、効果を得ることができる。
【００２６】
（１）ＲＡＭ３０の回数記憶領域３３には、ＡＤＦ４１及びＦＢＳ４２での原稿の読み取りに基づく、ＦＡＸ回数及びコピー回数が記憶されている。そして、ＦＡＸ回数とコピー回数との合計回数が所定回数（例えば１００回）以上である場合は、ＦＡＸ回数とコピー回数とが比較される。ＦＡＸ回数がコピー回数以上である場合は、ＦＡＸモードに設定される。一方、ＦＡＸ回数がコピー回数未満である場合は、コピーモードに設定される。すなわち、ＦＡＸ回数とコピー回数との合計回数が所定回数以上であれば、ＦＡＸ回数とコピー回数とに基づいて、自動的にＦＡＸモード又はコピーモードに設定される。従って、ＦＡＸ／コピーキー６１の切換操作を省略することができる。
【００２７】
（２）ＦＡＸ回数とコピー回数との合計回数が所定回数以上であれば、いわばＦＡＸモード又はコピーモードに切り換えるための学習機能により、自動的にＦＡＸモード又はコピーモードに設定されている。その結果、ＦＡＸ回数とコピー回数とが多くなればなる程、正確にＦＡＸモード又はコピーモードに設定することができる。従って、ＦＡＸ／コピーキー６１の切換操作を省略することができる。
【００２８】
（３）ＦＡＸ回数及びコピー回数に基づいて、自動的にＦＡＸモード又はコピーモードに設定されても、スタートキー６５が操作されるまでの間に、ＦＡＸ／コピーキー６１が操作された場合は、ＦＡＸモード又はコピーモードに切り換えている。このため、所望のモードに設定されていない場合は、ＦＡＸ／コピーキー６１を操作することにより、所望のモードに切り換えることができる。従って、ＦＡＸ回数とコピー回数とに基づいて、自動的にＦＡＸモード又はコピーモードに設定しても、何ら問題が発生する余地はない。
【００２９】
なお、前記実施形態は、次のように変更して具体化することも可能である。
・前記実施形態では、ＡＤＦ４１及びＦＢＳ４２からの読み取りに基づく、ＦＡＸ回数とコピー回数との合計回数が、所定回数以上である場合には、ＦＡＸ回数とコピー回数とを比較して、ＦＡＸモード又はコピーモードに設定する構成であったが、これに代えて、ＡＤＦ４１からの原稿の読み取りに基づくＦＡＸ回数とコピー回数との合計回数が、所定回数以上である場合には、ＦＡＸ回数とコピー回数とを比較して、ＦＡＸモード又はコピーモードに設定する構成にしても良い。加えて、ＦＢＳ４２からの原稿の読み取りに基づくＦＡＸ回数とコピー回数との合計回数が、所定回数以上である場合には、ＦＡＸ回数とコピー回数とを比較して、ＦＡＸモード又はコピーモードに設定する構成にしても良い。このように構成すれば、ＡＤＦ４１又はＦＢＳ４２に応じて、ＦＡＸモード又はコピーモードに設定することができる。
【００３０】
・前記実施形態では、ＦＡＸモード又はコピーモードに切り換える場合についえて説明したが、インターネットＦＡＸのように、読み取った原稿の画データを添付ファイルとして、電子メールで送信する場合と、読み取った原稿の画データを記録紙に記録する場合とに適用しても良い。
【００３１】
・前記実施形態において、特定のシーズンにのみ顧客等に対してダイレクトＦＡＸを行う場合や会議等の資料をコピーする場合は、例外として、ＦＡＸ回数やコピー回数のインクリメントを無効、つまりＦＡＸ回数やコピー回数をインクリメントさせないようにするための設定キー６６（設定手段）を設けても良い（図１参照）。
【００３２】
さらに、上記実施形態より把握される請求項以外の技術的思想について、以下にそれらの効果と共に記載する。
〔１〕請求項１又は請求項２に記載の通信端末装置において、通信モードは、ＦＡＸモードである通信端末装置。このように構成すれば、ＦＡＸモードとコピーモードとに切り換えるための切換操作を省略することができる。
【００３３】
〔２〕請求項１又は請求項２、前記〔１〕のいずれか１項に記載の通信端末装置において、通信回数とコピー回数とのカウントを無効にする設定手段を備え、制御手段は、設定手段からの設定に基づいて、通信回数及びコピー回数をカウントする通信端末装置。このように構成すれば、有効な通信回数及びコピー回数に基づいて、通信モード又はコピーモードに設定することができる。
【００３４】
【発明の効果】
本発明は、以上のように構成されているため、次のような効果を奏する。
各請求項に記載の発明によれば、ＦＡＸ／コピーキーの切換操作を省略することができる。
【図面の簡単な説明】
【図１】複写機能付きファクシミリ装置の構成を示すブロック図。
【図２】ＦＡＸ回数及びコピー回数を記憶する回数記憶領域を示す説明図。
【図３】ＦＡＸ又はコピーするときの動作を示すフローチャート。
【符号の説明】
１…通信端末装置としての複写機能付きファクシミリ装置、１０…制御手段を構成するＭＰＵ、２０…制御手段を構成するＲＯＭ、３０…制御手段を構成するＲＡＭ、４１…複数原稿自動読取部（ＡＤＦ）、４２…フラットベッドスキャナ（ＦＢＳ）。
【図１】
0003610880.tif 000002
【図２】
0003610880.tif 000003
【図３】
0003610880.tif 000004